(57)【要約】      （修正有）【課題】基板周辺の配線スペースを十分に確保しつつ、基板の切り欠きが必要なく機器取付面積が減少しない電気機器収納キャビネットにおける基板取付構造を提供する。【解決手段】縦辺に並行する長穴４と横辺に並行する長穴５と、前記各々の長穴に対応するねじ穴８及び９を設けた基板取付具７に基板１をねじ締め固定するとき、基板１は前記長穴４及び５の範囲でスライド移動し基板１の機器取付面積を減少することなく配線スペースを大きくできる。【選択図】  図１
2007311593.tif 000002
【特許請求の範囲】
【請求項１】
キャビネットの底面に基板取付具を固着し、該基板取付具に四角形状の基板を取付ねじで締付け固定する電気機器収納キャビネットの基板取付構造において、前記基板の取付ねじ挿通口は前記基板のコーナー部に該コーナー部から前記基板の縦辺に並行する長穴と横辺に並行する長穴とを形成し、この各々の長穴に対応するねじ穴を基板取付具に設け、前記長穴と前記長穴に対応した基板取付金具のねじ穴とを基板取付ねじで締付け固定される前記基板は、前記縦辺に並行する長穴により上下自在に、横辺に並行する長穴により左右自在にスライド移動できるようにした電気機器収納キャビネットにおける基板取付構造。
【発明の詳細な説明】
【技術分野】
【０００１】
電気機器収納キャビネットの機器を取り付けるための基板取付構造に関するものである。          
【背景技術】
【０００２】
電気機器収納キャビネットの底面には機器を取り付けるための基板が基板取付ねじにより締付け固定されているが、基板は機器取付面積を大きくする為にキャビネットに取り付け可能な最大寸法にするのが一般的でありそのため基板周辺の配線スペースが狭くなり入線作業が困難である。
【０００３】
前記配線スペースに配線あるいはキャビネット底面にケーブル入出口を加工する場合は基板も同時に切り欠き加工を行いケーブル入出口を確保する必要があり、基板を切り欠くことにより機器取付面積が減少し且つ切り欠き作業も必要である。
【０００４】
図６に示すように基板取付面積を確保する為に基板取付ねじ頭部を基板表面より突出しないように埋め込んだ構造もあるが基板の加工が複雑になり、又埋め込んだ頭部に機器が重なり取り付けられると基板が取り外せない等の問題があった。
【特許文献１】特開２００３−３３２７６５号公報
【発明の開示】
【発明が解決しようとする課題】
【０００５】
以上に述べた従来構造の基板取付構造では配線スペースが狭くキャビネット底面にケーブル入出口を加工しようとすれば基板の切り欠きが必要となりその為基板の機器取付面積が少なくなる、又基板取付ねじを基板表面から突出しないように埋め込むと基板の加工が複雑になり埋め込んだ基板取付ねじの上に機器が重なり取り付けられると基板が取り外せなくなる等の問題があった。
【０００６】
本発明はこのように従来有していた問題を解決するものであり基板周辺の配線スペースを十分確保しつつ基板の切り欠きが必要なく機器取付面積が減少しない電気機器収納キャビネットの基板取付構造を提供することにある。
【課題を解決するための手段】
【０００７】
本発明は上記の課題を解決するためになされた電気機器収納キャビネットにおける基板取付構造は、四角形状の基板の角部に縦辺に並行する長穴と横辺に並行する長穴とを設けたもので、前記長穴は四角形状の基板の各々４角部でも良く又相対する角部２箇所でも良い、又前記各々の長穴は基板をスライド移動させようとする範囲に相当した長さで良い。
【０００８】
又キャビネットの底部の基板取付面には上記各々の長穴に対応した基板取付用のねじ穴を有する基板取付具が固着されている。
基板は基板取付ねじにより縦辺に並行する長穴とそれに対応するねじ穴、あるいは横辺に並行する長穴とそれに対応するねじ穴とのいずれかにより締付け固定される。
【０００９】
上記により構成された基板取付構造の課題解決の手段による作用は次のとおりである。
たとえばキャビネット底面の上部又は下部にケーブル入出のためのケーブル入出口を加工しようとした場合、基板は四角形状の縦辺に並行する長穴と該長穴に対応する基板取付具に設けられたねじ穴に基板取付ねじで締付け固定するが、該長穴の範囲内で基板を下方向又は上方向にスライド移動させることにより上部又は下部の配線スペースを大きく確保することが可能となるので基板の切り欠き加工の必要がなくなり基板の機器取付面積を減少させることなくケーブル入出口を加工できる効果がある。
【００１０】
又キャビネットの底面の左右に配線スペースを確保する場合、基板は基板の横辺に並行する長穴と該長穴に対応する基板取付具に設けられたねじ穴に基板取付ねじで締付け固定するが前記同様に該長穴の範囲内で基板を左又は右にスライド移動させることにより基板の右又は左側に大きな配線スペースが確保され前記と同様な効果を発揮する。
【発明の効果】
【００１１】
上記のように本発明の電気機器収納キャビネットにおける基板取付構造では、簡単な構造で基板が上下あるいは左右に任意にスライド移動できるので基板四方の任意の場所に大きな配線スペースが確保できる、従って従来のように基板の一部を切り欠いてケーブル入出口のスペースを確保する必要がないので基板の切り欠きによる機器取付面積の減少がなく基板が有効に使用できるキャビネットを提供することが出来る。
更に基板の切り欠き作業や切り欠き端面の防錆処理等施工時間の短縮や品質向上に効果を発揮するもである。
【発明を実施するための最良の形態】
【００１２】
以下、本発明の実施の形態を図１〜図５について説明する。１は四角形状の基板でその大きさはキャビネット２の前面開口部３に収納可能な最大寸法である、基板１の相対する角部には基板１の縦辺に並行する長穴４と横辺に並行する長穴５が形成されている。
又キャビネット２の底面の基板取付面６には基板取付具７が固着されてあり該基板取付具７には前記長穴４に対応するねじ穴８と前記長穴５に対応するねじ穴９が形成されている。
そして基板１は前記長穴４に対応するねじ穴８あるいは前記長穴５に対応するねじ穴９で基板取付ねじ１０により締め付け固定される。
尚１１は基板１の補強曲げで必要に応じおこなうものである、又前記長穴４及び長穴５の形成は四角形状の基板１の４角に設けても相対する２角のみでもよい。
【００１３】
図５で説明するようにキャビネットの前面開口部３に収納可能な大きさの基板１をキャビネット２の中央部に取り付けると基板１の四方の配線スペース１２ａ〜１３ｂが狭くなる。たとえばキャビネット下部の配線スペース１２ａのキャビネット底部にケーブル入出口１４を加工しようとした場合、基板１が邪魔になるため切り欠き１５を施しケーブル入出口１４の開口スペースを確保する必要があった。
【００１４】
しかし本発明の構成では基板１の切り欠き１５を施すことなくキャビネット下部の配線スペース１２ａにケーブル入出口１４の開口スペースを確保する場合は、図４に示すように基板１の縦辺に並行する長穴４と基板取付具７に形成されている該長穴４に対応するねじ穴８を用い基板取付ねじ１０で基板１をねじ締め固定することになるがこのとき該長穴４の長穴分基板１を上方にスライド移動させて基板１をねじ締め固定すると、上方にスライド移動した分キャビネット下部の配線スペース１２ａが大きくなり切り欠き１５を施すことなくケーブル入出口１４の開口スペースを確保できる。
尚上部１２ｂに配線スペースが必要な場合は前記と同様に基板１を該長穴４の長穴分基板１を下方にスライド移動させて基板１をねじ締め固定すると下方にスライド移動した分キャビネット上部に配線スペースが確保できる。
【００１５】
更に左右の配線スペース１３ａ又は１３ｂに開口スペースを確保したい場合は、基板１の横辺に並行する長穴５と基板取付具７に形成されている該長穴５に対応するねじ穴９を用い基板取付ねじ１０で基板１をねじ締め固定するとき基板１を長穴５の長穴分左側にスライド移動すると配線スペース１３ａが、右側にスライド移動すると配線スペース１３ｂに大きな開口スペースが確保できるわけである。
【００１６】
尚図６は従来構造の一例で角形基板のコーナー部を基板表面より一段低くなるように形成した基板取付部１６を有する基板１７で基板止めねじ１８のねじ頭部が基板１７の表面に突出しないように構成された基板取付構造であるが、基板の加工が複雑になり基板１７に取り付けられる機器が止めねじ１８に重なり取り付けられると基板が取り外せないなどの欠点がある。
【００１７】
以上のように本実施形態によれば基板１は簡単な構造で上下左右任意にスライド移動できるようになっているので、従来の構造では配線スペースが狭く配線スペースにケーブル入出口を加工しようと思えば基板を切り欠く必要があった、その為に機器取付面積が減少する欠点があったが、本発明では前記したように簡単な構造で基板１をスライド移動させることにより大きな開口スペースを確保できるため基板の切り欠きの必要がなく従って基板の機器取付面を有効に使用でき又切り欠き端面の防錆処理等の作業の必要もなく品質向上に寄与する。更に基板をスライド移動させて任意場所の配線スペースを大きく確保できれば配線ケーブル等を集中させることも可能となり、配線作業や点検作業等盤内の整理、美化にも貢献する。
【図面の簡単な説明】
【００１８】
【図１】本発明の実施形態を示す部分断面斜視図である。
【図２】本発明の実施形態を示す主要部の断面斜視図である。
【図３】本発明の実施形態を示すキャビネットと基板取付具を示す平面図である。
【図４】本発明の実施形態を示すキャビネットと基板取付例を示す平面断面図である。
【図５】従来のキャビネットと基板切り欠き例を示す平面断面図である。
【図６】従来の基板取付構造の一例を示す部分断面斜視図である。
【符号の説明】
【００１９】
１  基板
２  キャビネット
３  前面開口部
４  長穴
５  長穴
６  基板取付面
７  基板取付具
８  ねじ穴
９  ねじ穴
１０  基板取付ねじ
１１  補強曲げ
１２ａ〜１２ｂ  上下配線スペース
１３ａ〜１３ｂ  左右配線スペース
１４  ケーブル入出口
１５  切り欠き
１６  基板取付部
１７  基板
１８  止めねじ
【図１】
2007311593.tif 000003
【図２】
2007311593.tif 000004
【図３】
2007311593.tif 000005
【図４】
2007311593.tif 000006
【図５】
2007311593.tif 000007
【図６】
2007311593.tif 000008